【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
内部フッ素化ナノ構造化学物質を非フルオロポリマー中に配合する工程を含む、籠内部にフッ素イオンを含むＰＯＳＳ籠および籠内部にフッ素イオンを含むＰＯＳ籠から成る群より選択される内部フッ素化ナノ構造化学物質を非フルオロポリマー中にアロイ化する方法。
【請求項２】
内部フッ素化ナノ構造化学物質を粒子と共に配合するか、または、前記ナノ構造化学物質をそのような粒子を含むポリマー中に混合する工程を含む、籠内部にフッ素イオンを含むＰＯＳＳ籠および籠内部にフッ素イオンを含むＰＯＳ籠から成る群より選択される内部フッ素化ナノ構造化学物質を無機或いは有機粒子上にアロイ化する方法。
【請求項３】
異なるナノ構造化学物質の混合物が、非フルオロポリマー中に配合される、請求項１記載の方法。
【請求項４】
異なるナノ構造化学物質の混合物が、ポリマー中に配合される、請求項２記載の方法。
【請求項５】
非フッ素化ポリマーは、油状、非晶質状、半結晶質状、結晶質状、エラストマー状、ゴム状及び架橋状材料から成る群より選ばれる物理的状態である、請求項１記載の方法。
【請求項６】
粒子が、金属、鉱物若しくは炭素材料から成る群よりの巨視的若しくはナノスコピックである、請求項２記載の方法。
【請求項７】
非フッ素化ポリマーは、化学的配列および関連したポリマー微細構造を含む、請求項１記載の方法。
【請求項８】
非フルオロポリマーは、ポリマーコイル、ポリマードメーン、ポリマー鎖、ポリマーセグメントまたはそれらの混合物である、請求項１記載の方法。
【請求項９】
ナノ構造化学物質は、非フッ素化ポリマーを分子レベルで補強する、請求項１記載の方法。
【請求項１０】
ナノ構造化学物質は、非フルオロポリマーの体積に寄与する、請求項１記載の方法。
【請求項１１】
ナノ構造化学物質は、非フルオロポリマーの表面積に寄与する、請求項１記載の方法。
【請求項１２】
配合が、非反応的である、請求項１記載の方法。
【請求項１３】
配合が、反応的である、請求項１記載の方法。
【請求項１４】
非フッ素化ポリマーの物理的特性は、ナノ構造化学物質の非フルオロポリマー中への組み込みの結果として改善される、請求項１記載の方法。
【請求項１５】
ナノ構造化学物質は、表面積を支配する、請求項２記載の方法。
【請求項１６】
微粒子の物理的特性は、ナノ構造化学物質の非フルオロポリマー中への組み込みの結果として改善される、請求項２記載の方法。
【請求項１７】
物理的特性は、潤滑性、接触角、撥水性、ポリマー表面への接着性、複合材料表面への接着性、金属表面への接着性、撥水性、密度、低誘電定数、熱伝導性、ガラス転移、粘度、融解転移、貯蔵弾性率、緩和性、応力転移、磨耗抵抗性、耐火性、生物学的適合性、ガス透過性及び多孔性から成る群より選ばれるメンバーを含む、請求項１４記載の方法。
【請求項１８】
物理的特性は、ポリマー表面への接着性、複合材料表面への接着性、金属表面への接着性、撥水性、密度、潤滑性、接触角、撥水性、低誘電定数、熱伝導性、粘度、融解転移、貯蔵弾性率、緩和性、応力転移、磨耗抵抗性、耐火性、生物学的適合性及び多孔性から成る群より選ばれるメンバーを含む、請求項１６記載の方法。
【請求項１９】
配合工程は、ナノ構造化学物質を非フルオロポリマー中に配合することにより達成される、請求項１記載の方法。
【請求項２０】
配合工程は、溶融配合、乾式配合及び溶液配合から成る群より選ばれる配合プロセスにより達成される、請求項１記載の方法。
【請求項２１】
混合工程は、ナノ構造化学物質と粒子を配合することにより達成される、請求項２記載の方法。
【請求項２２】
混合工程は、溶融配合、乾式配合及び溶液配合、噴霧及び気相堆積、粉砕及び磨砕から成る群より選ばれるプロセスにより達成される、請求項２記載の方法。
【請求項２３】
ナノ構造化学物質は、可塑剤として機能する、請求項１記載の方法。
【請求項２４】
ナノ構造化学物質は、フィラーとして機能する、請求項１記載の方法。
【請求項２５】
ナノ構造化学物質は、可塑剤及びフィラーの両方として機能する、請求項１記載の方法。
【請求項２６】
ナノ構造化学物質は、ナノ構造化学物質がポリマー内の予め決められた領域に組み込まれるように、非フルオロポリマー中に選択的に配合される、請求項１記載の方法。
【請求項２７】
請求項１記載の方法により製造されたポリマー組成物。
【請求項２８】
配合が、非フルオロポリマーの分子運動の制御を可能とする、請求項１記載の方法。
【請求項２９】
時間依存性特性が、ナノ構造化学物質の非フルオロポリマーへの配合の結果として向上する、請求項２８記載の方法。
【請求項３０】
時間依存性特性が、Ｔｇ、ＨＤＴ、弾性率、クリ−プ性、硬化性、透過性、耐侵食性、耐摩耗性から成る群より選ばれる、請求項２９記載の方法。
【請求項３１】
ナノ構造化学物質は、非フルオロポリマーの選択された領域に適合する化学的性質を有し、それにより非フルオロポリマーの選択された領域を補強するように選択される、請求項１記載の方法。
【請求項３２】
ナノ構造化学物質は、ポリマーの選択された領域に適合する化学的性質を有し、それによりポリマーの選択された領域を補強するように選択される、請求項２記載の方法。
【請求項３３】
ナノ構造化学物質を、微粒子材料と配合する工程を更に含む、請求項１記載の方法。
【請求項３４】
微粒子材料は、金属、鉱物、シリケイション、粉末および炭素から成る群より選ばれる、請求項３３記載の方法。
【手続補正２】
【補正対象書類名】明細書
【補正対象項目名】００５５
【補正方法】変更
【補正の内容】
【００５５】
一定の代表的具体例と詳細な説明が、本発明を説明するために示されてきたが、付属した請求項で規定された発明の範囲を変更せずに、ここに開示された方法及び装置における種々な改変がなされ得ることは、当業者には明らかであろう。
以下に、本発明の実施形態を示す。
［１］ナノ構造化学物質をポリマー中に配合する工程を含む、フッ素化ナノ構造化学物質を非フルオロポリマー中に組み込む方法。
［２］ナノ構造化学物質を粒子と共に配合するか、または、ナノ構造化学物質をそのような粒子を含むポリマー中に混合する工程を含む、フッ素化ナノ構造化学物質を無機或いは有機粒子上に組み込む方法。
［３］異なるナノ構造化学物質の混合物が、ポリマー中に配合される、請求項１記載の方法。
［４］異なるナノ構造化学物質の混合物が、ポリマー中に配合される、請求項２記載の方法。
［５］非フッ素化ポリマーは、油状、非晶質状、半結晶質状、結晶質状、エラストマー状、ゴム状及び架橋状材料から成る群より選ばれる物理的状態である、請求項１記載の方法。
［６］粒子が、金属、鉱物若しくは炭素材料から成る群よりの巨視的若しくはナノスコピックである、請求項２記載の方法。
［７］非フッ素化ポリマーは、化学的配列と関連したポリマー微細構造を含む、請求項１記載の方法。
［８］ポリマーは、ポリマーコイル、ポリマードメーン、ポリマー鎖、ポリマーセグメントまたはそれらの混合物である、請求項１記載の方法。
［９］ナノ構造化学物質は、非フッ素化ポリマーを分子レベルで補強する、請求項１記載の方法。
［１０］ナノ構造化学物質は、ポリマーの体積に寄与する、請求項１記載の方法。
［１１］ナノ構造化学物質は、ポリマーの表面積に寄与する、請求項１記載の方法。
［１２］配合が、非反応的である、請求項１記載の方法。
［１３］配合が、反応的である、請求項１記載の方法。
［１４］非フッ素化ポリマーの物理的特性は、ナノ構造化学物質のポリマー中への組み込みの結果として改善される、請求項１記載の方法。
［１５］ナノ構造化学物質は、表面積を支配する、請求項２記載の方法。
［１６］微粒子の物理的特性は、ナノ構造化学物質のポリマー中への組み込みの結果として改善される、請求項２記載の方法。
［１７］物理的特性は、潤滑性、接触角、撥水性、ポリマー表面への接着性、複合材料表面への接着性、金属表面への接着性、撥水性、密度、低誘電定数、熱伝導性、ガラス転移、粘度、融解転移、貯蔵弾性率、緩和性、応力転移、磨耗抵抗性、耐火性、生物学的適合性、ガス透過性及び多孔性から成る群より選ばれるメンバーを含む、請求項１４記載の方法。
［１８］物理的特性は、ポリマー表面への接着性、複合材料表面への接着性、金属表面への接着性、撥水性、密度、潤滑性、接触角、撥水性、低誘電定数、熱伝導性、粘度、融解転移、貯蔵弾性率、緩和性、応力転移、磨耗抵抗性、耐火性、生物学的適合性及び多孔性から成る群より選ばれるメンバーを含む、請求項１６記載の方法。
［１９］配合工程は、ナノ構造化学物質をポリマー中に配合することにより達成される、請求項１記載の方法。
［２０］配合工程は、溶融配合、乾式配合及び溶液配合から成る群より選ばれる配合プロセスにより達成される、請求項１記載の方法。
［２１］混合工程は、ナノ構造化学物質と粒子を配合することにより達成される、請求項２記載の方法。
［２２１］混合工程は、溶融配合、乾式配合及び溶液配合、噴霧及び気相堆積、粉砕及び磨砕から成る群より選ばれるプロセスにより達成される、請求項２記載の方法。
［２３］ナノ構造化学物質は、可塑剤として機能する、請求項１記載の方法。
［２４］ナノ構造化学物質は、フィラーとして機能する、請求項１記載の方法。
［２５］ナノ構造化学物質は、可塑剤及びフィラーの両方として機能する、請求項１記載の方法。
［２６］ナノ構造化学物質は、ナノ構造化学物質がポリマー内の予め決められた領域に組み込まれるように、ポリマー中に選択的に配合される、請求項１記載の方法。
［２７］請求項１記載の方法により製造されたポリマー組成物。
［２８］配合が、ポリマーの分子運動の制御を可能とする、請求項１記載の方法。
［２９］時間依存性特性が、ナノ構造化学物質のポリマーへの配合の結果として向上する、請求項２８記載の方法。
［３０］時間依存性特性が、Ｔｇ、ＨＤＴ、弾性率、クリ−プ性、硬化性、透過性、耐侵食性、耐摩耗性から成る群より選ばれる、請求項２９記載の方法。
［３１］ナノ構造化学物質は、ポリマーの選択された領域に適合する化学的性質を有し、それによりポリマーの選択された領域を補強するように選択される、請求項１記載の方法。
［３２］ナノ構造化学物質は、ポリマーの選択された領域に適合する化学的性質を有し、それによりポリマーの選択された領域を補強するように選択される、請求項２記載の方法。